(57)【特許請求の範囲】
【請求項１】
複数の第１の電極と、
前記複数の第１の電極の各々における縁部から一方向に延びた複数の第１の集電タブと、
前記複数の第１の集電タブを露出させて前記複数の第１の電極を個別に収納し、前記一方向に平行に延びた第１の中心軸で第１の部分と第２の部分とに二分可能な複数の第１のセパレータと、
極性が前記第１の電極と反対であり、前記複数の第１のセパレータに収納された前記複数の第１の電極と交互に積層され、前記第１の中心軸と同じ方向に延びた第２の中心軸で二分可能な部分の一方が前記第１の部分と対向し、他方の部分が前記第２の部分と対向した複数の第２の電極と、
前記複数の第２の電極の各々における縁部から前記複数の第１の集電タブと積層方向で重なることなく前記複数の第１の集電タブと同じ方向に延び、前記第１のセパレータの縁部から露出した複数の第２の集電タブと、を有し、
各第１のセパレータにおける前記第１の部分に、前記第２の部分と前記第１の中心軸に関して非対称な第１の非対称部が形成され、各第２の電極における前記一方の部分に、前記他方の部分と前記第２の中心軸に関して非対称な第２の非対称部が形成され、全ての前記第１の非対称部と、全ての前記第２の非対称部とが前記積層方向で一致している、積層型二次電池。
【請求項２】
複数の第１の電極と、
前記複数の第１の電極の各々における縁部から一方向に延びた複数の第１の集電タブと、
前記複数の第１の集電タブを露出させて前記複数の第１の電極を個別に収納し、前記一方向に垂直に延びた第１の中心軸で第１の部分と第２の部分とに二分可能な複数の第１のセパレータと、
極性が前記第１の電極と反対であり、前記複数の第１のセパレータに収納された前記複数の第１の電極と交互に積層され、前記第１の中心軸と同じ方向に延びた第２の中心軸で二分可能な部分の一方が前記第１の部分と対向し、他方の部分が前記第２の部分と対向した複数の第２の電極と、
前記複数の第２の電極の各々における縁部から前記複数の第１の集電タブと反対方向に延び、前記第１のセパレータの縁部から露出した複数の第２の集電タブと、を有し、
各第１のセパレータにおける前記第１の部分に、前記第２の部分と前記第１の中心軸に関して非対称な第１の非対称部が形成され、各第２の電極における前記一方の部分に、前記他方の部分と前記第２の中心軸に関して非対称な第２の非対称部が形成され、全ての前記第１の非対称部と、全ての前記第２の非対称部とが前記積層方向で一致している、積層型二次電池。
【請求項３】
複数の第１の電極と、
前記複数の第１の電極の各々における縁部から一方向に延びた複数の第１の集電タブと、
前記複数の第１の集電タブを露出させて前記複数の第１の電極を個別に収納し、前記一方向に平行に延びた第１の中心軸で第１の部分と第２の部分とに二分可能な複数の第１のセパレータと、
前記複数の第１のセパレータに収納された前記複数の第１の電極と交互に積層され、極性が前記第１の電極と反対の複数の第２の電極と、
前記複数の第２の電極の各々における縁部から前記複数の第１の集電タブと積層方向で重なることなく前記複数の第１の集電タブと同じ方向に延びた複数の第２の集電タブと、
前記複数の第２の集電タブを露出させて前記複数の第２の電極を個別に収納し、前記第１の中心軸と同じ方向に延びた第２の中心軸で二分可能な部分の一方が前記第１の部分と対向し、他方の部分が前記第２の部分と対向した複数の第２のセパレータと、を有し、
各第１のセパレータにおける前記第１の部分に、前記第２の部分と前記第１の中心軸に関して非対称な第１の非対称部が形成され、各第２のセパレータにおける前記一方の部分に、前記他方の部分と前記第２の中心軸に関して非対称な第２の非対称部が形成され、全ての前記第１の非対称部と、全ての前記第２の非対称部とが前記積層方向で一致している、積層型二次電池。
【請求項４】
複数の第１の電極と、
前記複数の第１の電極の各々における縁部から一方向に延びた複数の第１の集電タブと、
前記複数の第１の集電タブを露出させて前記複数の第１の電極を個別に収納し、前記一方向に垂直に延びた第１の中心軸で第１の部分と第２の部分とに二分可能な複数の第１のセパレータと、
前記複数の第１のセパレータに収納された前記複数の第１の電極と交互に積層され、極性が前記第１の電極と反対の複数の第２の電極と、
前記複数の第２の電極の各々における縁部から前記複数の第１の集電タブと反対方向に延びた複数の第２の集電タブと、
前記複数の第２の集電タブを露出させて前記複数の第２の電極を個別に収納し、前記第１の中心軸と同じ方向に延びた第２の中心軸で二分可能な部分の一方が前記第１の部分と対向し、他方の部分が前記第２の部分と対向した複数の第２のセパレータと、を有し、
各第１のセパレータにおける前記第１の部分に、前記第２の部分と前記第１の中心軸に関して非対称な第１の非対称部が形成され、各第２のセパレータにおける前記一方の部分に、前記他方の部分と前記第２の中心軸に関して非対称な第２の非対称部が形成され、全ての前記第１の非対称部と、全ての前記第２の非対称部とが前記積層方向で一致している、積層型二次電池。
【請求項５】
前記積層方向から見た前記各第１のセパレータが、前記第１の中心軸を挟んで前記第１の中心軸に平行に延び長さが互いに異なる一組の対辺部と、前記第１の中心軸に直交する第３の中心軸を挟んで前記第３の中心軸に平行に延び長さが互いに異なる他の一組の対辺部と、前記一組の対辺部の短辺と前記他の一組の対辺部の短辺とを結ぶ第１の斜辺部と、を有する第１の五角形であり、前記積層方向から見た前記各第２の電極が、前記第１の斜辺部と前記積層方向で一致している第２の斜辺部を有する第２の五角形であり、前記第１の非対称部が前記第１の斜辺部であり、前記第２の非対称部が前記第２の斜辺部である、請求項１または２に記載の積層型二次電池。
【請求項６】
前記第１の非対称部が、前記各第１のセパレータにおける前記第１の部分の縁部に形成され、前記積層方向に直交する面内方向に窪んだ第１の凹部であり、前記第２の非対称部が、前記各第２の電極における前記一方の部分の縁部に形成され、前記積層方向に直交する面内方向に窪み、前記第１の凹部と前記積層方向で一致している第２の凹部である、請求項１または２に記載の積層型二次電池。
【請求項７】
前記第１の非対称部が、前記各第１のセパレータにおける前記第１の部分を前記積層方向に貫通する第１の孔部であり、前記第２の非対称部が、前記各第２の電極における前記一方の部分を前記積層方向に貫通し、前記第１の孔部と前記積層方向で一致している第２の孔部である、請求項１または２に記載の積層型二次電池。
【請求項８】
前記積層方向から見た前記各第１のセパレータが、前記第１の中心軸を挟んで前記第１の中心軸に平行に延び長さが互いに異なる一組の対辺部と、前記第１の中心軸に直交する第３の中心軸を挟んで前記第３の中心軸に平行に延び長さが互いに異なる他の一組の対辺部と、前記一組の対辺部の短辺と前記他の一組の対辺部の短辺とを結ぶ第１の斜辺部と、を有する第１の五角形であり、前記積層方向から見た前記各第２のセパレータが、前記第１の斜辺部と前記積層方向で一致している第２の斜辺部を有する第２の五角形であり、前記第１の非対称部が前記第１の斜辺部であり、前記第２の非対称部が前記第２の斜辺部である、請求項３または４に記載の積層型二次電池。
【請求項９】
前記第１の非対称部が、前記各第１のセパレータにおける前記第１の部分の縁部に形成され、前記積層方向に直交する面内方向に窪んだ第１の凹部であり、前記第２の非対称部が、前記各第２のセパレータにおける前記一方の部分の縁部に形成され、前記積層方向に直交する面内方向に窪み、前記第１の凹部と前記積層方向で一致している第２の凹部である、請求項３または４に記載の積層型二次電池。
【請求項１０】
前記第１の非対称部が、前記各第１のセパレータにおける前記第１の部分を前記積層方向に貫通する第１の孔部であり、前記第２の非対称部が、前記各第２のセパレータにおける前記一方の部分を前記積層方向に貫通し、前記第１の孔部と前記積層方向で一致している第２の孔部である、請求項３または４に記載の積層型二次電池。
【発明の詳細な説明】
【技術分野】
【０００１】
本発明は、複数の正極と複数の負極とがセパレータを介して交互に積層された積層型二次電池に関する。
【背景技術】
【０００２】
近年、電気自動車やハイブリッド自動車の電源として、高エネルギー密度で、メモリー効果の無いリチウムイオン二次電池が期待されている。自動車用の二次電池は、高出力（大電流の放電）が要求されるので、広い電極面積を確保する必要がある。そのため、自動車用の二次電池には、複数の平板状の正極と複数の平板状の負極とをセパレータを介して交互に積み重ねた積層型二次電池が好適である。このような積層型二次電池の一例が特許文献１に開示されている。
【０００３】
図１２は、特許文献１に開示された積層型二次電池型電池の電極の平面図である。図１２(ａ)は負極を示し、図１２（ｂ）は正極を示す。図１２(ｂ)に示すように、正極１００は、正極リード部４１を露出させて袋状のセパレータ３００に収納されている。セパレータ３００には、角部の一つが四角形状に切除された非対称部１１０が形成されている。図１２(ａ)、図１２（ｂ）に示すように、負極２００の底辺から上端辺１２０までの高さ（ｈ）は、セパレータ３００の底辺から非対称部１１０の底辺までの高さ（ｈ）と等しくなっている。そのため、複数の正極１００と、複数の負極２００とを交互に積層する積層工程において、非対称部１１０の一端と負極２００の角部の上端が一致するように重ね合わせることによって、各電極の位置合わせを正確かつ容易に行うことが可能となる。
【先行技術文献】
【特許文献】
【０００４】
【特許文献１】特願２００９−１２３５８２号公報
【発明の概要】
【発明が解決しようとする課題】
【０００５】
積層型二次電池では、積層工程において正極電極または負極電極のいずれかが反転して積層されると、積層工程の後に実施される充電工程において電極の金属箔が溶けて短絡不良が発生するおそれがある。一般的な積層型二次電池では、正極電極と負極電極とは、集電タブ（端子部）の位置が左右反対になっている点を除いてほぼ同一の形状となっている。そのため、正極電極または負極電極が反転して積層されたときに誤積層された電極の集電タブが正しく積層された電極の集電タブに重なってしまうので、電極の誤積層に気付くことが困難になる。特許文献１に開示された積層型二次電池において、正極１００が誤積層された場合、正極リード部４１が負極リード部４２に重なったとしても、セパレータ３００に形成された非対称部１１０が積層方向で一致しなくなるので、比較的容易に誤積層に気づくことができる。しかし、負極２００が誤積層された場合、誤積層に気付く目印がないので、負極リード部４２が正極リード部４１に重なってしまうと誤積層に気付くことが困難になる。そのため、負極２００の誤積層が見過ごされる可能性が高くなる。したがって、特許文献１に開示された積層型二次電池は、電極の誤積層による不具合を防ぐ対策が不十分である。
【０００６】
そこで、本発明は、電極の誤積層による不具合を起こりにくくすることが可能な積層型二次電池を提供することを目的とする。
【課題を解決するための手段】
【０００７】
上記目的を達成するための本発明による第１の積層型二次電池は、複数の第１の電極と、前記複数の第１の電極の各々における縁部から一方向に延びた複数の第１の集電タブと、前記複数の第１の集電タブを露出させて前記複数の第１の電極を個別に収納し、前記一方向に平行に延びた第１の中心軸で第１の部分と第２の部分とに二分可能な複数の第１のセパレータと、極性が前記第１の電極と反対であり、前記複数の第１のセパレータに収納された前記複数の第１の電極と交互に積層され、前記第１の中心軸と同じ方向に延びた第２の中心軸で二分可能な部分の一方が前記第１の部分と対向し、他方の部分が前記第２の部分と対向した複数の第２の電極と、前記複数の第２の電極の各々における縁部から前記複数の第１の集電タブと積層方向で重なることなく前記複数の第１の集電タブと同じ方向に延び、前記第１のセパレータの縁部から露出した複数の第２の集電タブと、を有し、各第１のセパレータにおける前記第１の部分に、前記第２の部分と前記第１の中心軸に関して非対称な第１の非対称部が形成され、各第２の電極における前記一方の部分に、前記他方の部分と前記第２の中心軸に関して非対称な第２の非対称部が形成され、全ての前記第１の非対称部と、全ての前記第２の非対称部とが前記積層方向で一致している。
【０００８】
また、上記目的を達成するための本発明による第２の積層型二次電池は、複数の第１の電極と、前記複数の第１の電極の各々における縁部から一方向に延びた複数の第１の集電タブと、前記複数の第１の集電タブを露出させて前記複数の第１の電極を個別に収納し、前記一方向に垂直に延びた第１の中心軸で第１の部分と第２の部分とに二分可能な複数の第１のセパレータと、極性が前記第１の電極と反対であり、前記複数の第１のセパレータに収納された前記複数の第１の電極と交互に積層され、前記第１の中心軸と同じ方向に延びた第２の中心軸で二分可能な部分の一方が前記第１の部分と対向し、他方の部分が前記第２の部分と対向した複数の第２の電極と、前記複数の第２の電極の各々における縁部から前記複数の第１の集電タブと反対方向に延び、前記第１のセパレータの縁部から露出した複数の第２の集電タブと、を有し、各第１のセパレータにおける前記第１の部分に、前記第２の部分と前記第１の中心軸に関して非対称な第１の非対称部が形成され、各第２の電極における前記一方の部分に、前記他方の部分と前記第２の中心軸に関して非対称な第２の非対称部が形成され、全ての前記第１の非対称部と、全ての前記第２の非対称部とが前記積層方向で一致している。
【０００９】
また、上記目的を達成するための本発明による第３の積層型二次電池は、複数の第１の電極と、前記複数の第１の電極の各々における縁部から一方向に延びた複数の第１の集電タブと、前記複数の第１の集電タブを露出させて前記複数の第１の電極を個別に収納し、前記一方向に平行に延びた第１の中心軸で第１の部分と第２の部分とに二分可能な複数の第１のセパレータと、前記複数の第１のセパレータに収納された前記複数の第１の電極と交互に積層され、極性が前記第１の電極と反対の複数の第２の電極と、前記複数の第２の電極の各々における縁部から前記複数の第１の集電タブと積層方向で重なることなく前記複数の第１の集電タブと同じ方向に延びた複数の第２の集電タブと、前記複数の第２の集電タブを露出させて前記複数の第２の電極を個別に収納し、前記第１の中心軸と同じ方向に延びた第２の中心軸で二分可能な部分の一方が前記第１の部分と対向し、他方の部分が前記第２の部分と対向した複数の第２のセパレータと、を有し、各第１のセパレータにおける前記第１の部分に、前記第２の部分と前記第１の中心軸に関して非対称な第１の非対称部が形成され、各第２のセパレータにおける前記一方の部分に、前記他方の部分と前記第２の中心軸に関して非対称な第２の非対称部が形成され、全ての前記第１の非対称部と、全ての前記第２の非対称部とが前記積層方向で一致している。
【００１０】
また、上記目的を達成するための本発明による第４の積層型二次電池は、複数の第１の電極と、前記複数の第１の電極の各々における縁部から一方向に延びた複数の第１の集電タブと、前記複数の第１の集電タブを露出させて前記複数の第１の電極を個別に収納し、前記一方向に垂直に延びた第１の中心軸で第１の部分と第２の部分とに二分可能な複数の第１のセパレータと、前記複数の第１のセパレータに収納された前記複数の第１の電極と交互に積層され、極性が前記第１の電極と反対の複数の第２の電極と、前記複数の第２の電極の各々における縁部から前記複数の第１の集電タブと反対方向に延びた複数の第２の集電タブと、前記複数の第２の集電タブを露出させて前記複数の第２の電極を個別に収納し、前記第１の中心軸と同じ方向に延びた第２の中心軸で二分可能な部分の一方が前記第１の部分と対向し、他方の部分が前記第２の部分と対向した複数の第２のセパレータと、を有し、各第１のセパレータにおける前記第１の部分に、前記第２の部分と前記第１の中心軸に関して非対称な第１の非対称部が形成され、各第２のセパレータにおける前記一方の部分に、前記他方の部分と前記第２の中心軸に関して非対称な第２の非対称部が形成され、全ての前記第１の非対称部と、全ての前記第２の非対称部とが前記積層方向で一致している。
【発明の効果】
【００１１】
本発明によれば、第１の電極または第２の電極のいずれかが誤積層されて第１の集電タブと第２の集電タブとが積層方向で重なったとしても、第１の非対称部と第２の非対称部とが積層方向で一致しなくなる。そのため、電極の誤積層にも気付きやすくなる。よって、電極の誤積層による不具合を起こりにくくすることが可能となる。
【図面の簡単な説明】
【００１２】
【図１】実施形態１の積層型二次電池の要部構成を示す斜視図である。
【図２】図１に示す積層型二次電池の電極の構成を示す平面図である。
【図３】図１に示す積層型二次電池の電極の一方の製造工程を示す平面図である。
【図４】図１に示す積層型二次電池の電極の一方の製造工程を示す平面図である。
【図５】図１に示す積層型二次電池の電極の一方の製造工程を示す平面図である。
【図６】実施形態２の積層型二次電池の要部構成を示す斜視図である。
【図７】図６に示す積層型二次電池の電極の構成を示す平面図である。
【図８】図６に示す積層型二次電池の電極の他の実施形態を示す平面図である。
【図９】図６に示す積層型二次電池のセパレータに形成された非対称部の他の実施形態を示す平面図である。
【図１０】図６に示す積層型二次電池のセパレータに形成された非対称部の他の実施形態を示す平面図である。
【図１１】図６に示す積層型二次電池のセパレータに形成された非対称部の他の実施形態を示す平面図である。
【図１２】特許文献１に開示された積層型二次電池型電池の電極の平面図である。
【発明を実施するための形態】
【００１３】
（実施形態１）
図１は、本実施形態の積層型二次電池の要部構成を示す斜視図である。図１に示す積層型二次電池１は、袋状のセパレータ４ａ（第１のセパレータ）に個別に収納された複数の電極２（第１の電極）と、極性が電極２と反対の複数の電極３（第２の電極）とが、交互に積層された構造を有する。なお、本実施形態では、電極２を正極とし、電極３を負極とする構成であるが、反対の構成であってもよい。
【００１４】
図２は、図１に示す積層型二次電池の電極の構成を示す平面図である。図２（ａ）は、電極２を示し、図２（ｂ）は電極３を示す。
【００１５】
まず、電極２について説明する。図２（ａ）に示すように、矩形の電極２の縁部からは集電タブ５ａ（第１の集電タブ）が一方向に延びている。電極２は、集電タブ５ａを露出させた状態で袋状のセパレータ４ａに収納されている。ここで、電極２の製造工程について図３〜図５を参照しながら説明する。
【００１６】
図３〜図５は、電極２の製造工程を示す平面図である。電極２は、長さＬ１が９４ｍｍ、幅Ｗ１が６４ｍｍ、厚さが２０μｍの矩形の板状に加工されたアルミニウム箔の両面に電極合剤を塗布することによって作製される。電極２における角部の一つに近接する位置には、長さＬ２が３０ｍｍ、幅Ｗ２が１０ｍｍの集電タブ５ａが溶接により接合されている。複数の電極２は、集電タブ５ａを露出させて、長さＬ３が１０５ｍｍの帯状の２枚の樹脂膜で構成されたセパレータ４ａの間に所定の間隔を取って配置される（図３参照）。続いて、各電極２は、セパレータ４ａにおける電極２を囲む融着接合部６によって袋状に融着される（図４参照）。そして、セパレータ４ａが切断線９に沿って熱切断されると、長さＬ３が１０５ｍｍ、幅Ｗ３（図２（ａ）参照）が７０ｍｍであり、電極２が収納された矩形の袋状のセパレータ４ａが複数個作製される（図５参照）。最後に、各セパレータ４ａの４つの角部のうち集電タブ５ａに最も近い角部２１が、１辺が５ｍｍの直角二等辺三角形状に熱切断される。その結果、セパレータ４ａには、図２（ａ）に示すように、集電タブ５ａの延出方向（一方向）に平行に延びた中心軸Ａで二分可能な部分の一方（第１の部分）に、他方の部分（第２の部分）と中心軸Ａに関して非対称な非対称部７ａ（第１の非対称部）が形成される。なお、本実施形態では、図２（ａ）に示すように、積層方向から見たセパレータ４ａが、中心軸Ａを挟んで中心軸Ａに平行に延び長さが互いに異なる一組の対辺部と、中心軸Ａに直交する中心軸Ｃを挟んで中心軸Ｂに平行に延び長さが互いに異なる他の一組の対辺部と、一組の対辺部の短辺と他の一組の対辺部の対辺とを結ぶ斜辺部（第１の斜辺部）とを有する五角形となり、非対称部７が斜辺部となっている。このようにして、非対称部７が形成されたセパレータ４ａに収納された電極２が完成する。
【００１７】
次に、電極３について図２（ｂ）を参照しながら説明する。電極３は、長さＬ４が１００ｍｍ、幅Ｗ４が７０ｍｍ、厚さが１０μｍの矩形の板状に加工された銅箔の両面に電極合剤層を塗布することによって作製される。電極３における一角に近接する位置には、集電タブ５ａと形状および大きさが同じ集電タブ５ｂ（第２の集電タブ）が溶接により接合されている。そして、電極３の４つの角部の一つが、１辺が５ｍｍの直角二等辺三角形状に打ち抜かれる。その結果、電極３には、図２（ｂ）に示すように、中心軸Ａと同じ方向に延びた中心軸Ｂで二分可能な部分の一方に、他方の部分と中心軸Ｂに関して非対称で、かつ非対称部７と積層方向で一致する非対称部８（第２の非対称部）が形成される。なお、中心軸Ｂで二分可能な部分の一方は、セパレータ４ａにおける非対称部７が形成された部分（第１の部分）と対向し、他方の部分は、セパレータ４ａにおける非対称部７が形成されていない部分（第２の部分）に対向している。また、本実施形態では、電極３は、電極２と同様の五角形であり、その五角形の斜辺部が非対称部８である。
【００１８】
本実施形態の積層型二次電池１では、図１に示すように、複数の集電タブ５ｂが複数の集電タブ５ａと積層方向で互いに重なることなく各電極３の縁部から一方向に延びた積層状態で、全ての非対称部７と全ての非対称部８が積層方向で一致するように構成されている。そのため、複数の電極２のいずれかが中心軸Ａに関して反転して誤積層されたときに、誤積層の電極２に接合された集電タブ５ａが集電タブ５ｂに重なったとしても、誤積層の電極２を収納したセパレータ４ａの角部２２が、正しく積層されたセパレータ４ａの非対称部７、または非対称部８から露出する。また、複数の電極３のいずれかが中心軸Ｂに関して反転して誤積層されたときに、誤積層の電極３に接合された集電タブ５ｂが集電タブ５ａに重なったとしても、誤積層の電極３の角部３２が、正しく積層された電極３の非対称部８または非対称部７から露出する。
【００１９】
上記の通り、電極２または電極３のいずれかが誤積層されて集電タブ５ａと集電タブ５ｂが積層方向で重なったとしても、非対称部７と非対称部８が積層方向で一致しなくなるので、電極の誤積層に気付きやすくなる。よって、電極の誤積層による不具合を起こりにくくすることが可能となる。
【００２０】
（実施形態２）
図６は、本実施形態の積層型二次電池の要部構成を示す斜視図である。また、図７は、図６に示す積層型二次電池の電極の構成を示す平面図である。なお、本実施形態では、実施形態１で説明した積層型二次電池１と同様の構成要素については同じ符号を付し、詳細な説明を省略する。図７（ａ）は電極２を示し、図７（ｂ）は電極３を示す。
【００２１】
図６に示す積層型二次電池１０は、複数の電極２と、複数の電極３とが交互に積層された構造を有する。実施形態１の積層型二次電池１では、電極２がセパレータ４ａに収容され、電極３が露出した構造であった。一方、積層型二次電池１０では、図７（ａ）、（ｂ）に示すように、電極２がセパレータ４ａに収容され、電極３が、セパレータ４ｂ（第２のセパレータ）に収容されている。セパレータ４ｂは、セパレータ４ａと形状および大きさが同じである。
【００２２】
積層型二次電池１０では、電極３がセパレータ４ｂに収容されているのに伴って、積層型二次電池１では電極３に形成されていた非対称部８がセパレータ４ｂに形成されている。これにより、積層型二次電池１０も、積層型二次電池１と同様に、電極２または電極３のいずれかが誤積層されて集電タブ５ａと集電タブ５ｂとが積層方向で重なっても、非対称部７と非対称部８とが積層方向で一致しなくなる。そのため、電極の誤積層に気付きやすくなり、電極の誤積層による不具合を起こりにくくすることが可能となる。また、電極３がセパレータ４ｂに収容されているので、電極２と電極３との間における絶縁性が強化される。さらに、経年劣化により電極３から剥離した活物質が外部へ飛び散るのを防ぐことが可能となる。
【００２３】
なお、本実施形態では、図８（ａ）、図８（ｂ）に示すように、集電タブ５ａと、集電タブ５ｂとが反対方向に延びるように電極２、３が積層された構成であってもよい。この構成では、非対称部７は、中心軸Ｂでセパレータ４ａを二分した部分の一方に形成される。一方、非対称部８は、中心軸Ｂと同じ方向に延びた中心軸Ｄでセパレータ４ｂを二分した部分の一方に形成される。これにより、電極２が中心軸Ｃに関して反転して誤積層された場合には角部２３が、１８０度回転して誤積層された場合には角部２４がそれぞれ正しく積層された非対称部７、８から露出する。また、電極３が中心軸Ｄに関して誤積層された場合には角部３３が、１８０度回転して誤積層された場合には角部３４がそれぞれ正しく積層された非対称部７、８から露出する。そのため、電極の誤積層に気付きやすくなり、電極の誤積層による不具合を起こりにくくすることが可能となる。
【００２４】
また、本実施形態では、図９（ａ）、図９（ｂ）に示すように、非対称部７および非対称部８は、セパレータ４ａ、４ｂにおける中心軸Ａ、Ｂで二分可能な部分の一方だけでなく、他方の部分に形成されていてもよい。ただし、一方の部分における非対称部７、８の形成位置と、他方の部分における非対称部７、８の形成位置とは、中心軸Ａ、Ｂに関してそれぞれ非対称である。
【００２５】
また、本実施形態では、図１０（ａ）、図１０（ｂ）に示すように、非対称部７は、セパレータ４ａにおける中心軸Ａで二分可能な部分の一方に形成され、積層方向に直交する面内方向に窪んだ凹部（第１の凹部）であってもよい。この場合、非対称部８は、セパレータ４ｂにおける中心軸Ｂで二分可能な部分の一方の縁部に形成され、上記凹部と積層方向で一致する凹部（第２の凹部）となる。
【００２６】
さらに、本実施形態では、図１１（ａ）、図１１（ｂ）に示すように、非対称部７は、セパレータ４ａにおける中心軸Ａで二分可能な部分の一方を積層方向に貫通する孔部（第１の孔部）であってもよい。この場合、非対称部８は、セパレータ４ｂにおける中心軸Ｂで二分可能な部分の一方を積層方向に貫通し、上記孔部と積層方向で一致する孔部（第２の孔部）となる。
【００２７】
図９〜図１１の各々に記載された構成であっても、電極２または電極３のいずれかが誤積層されて集電タブ５ａと集電タブ５ｂとが積層方向で重なっても、非対称部７と非対称部８が積層方向で一致しなくなる。そのため、電極の誤積層に気付きやすくなり、電極の誤積層による不具合を起こりにくくすることが可能となる。なお、図８〜図１１に記載された各構成は、実施形態１で説明した積層型二次電池１にも適用可能である。
【００２８】
以下、本発明の効果を確認した実験結果について説明する。
【００２９】
まず、実験方法について説明する。実施形態１の積層型二次電池１、実施形態２の積層型二次電池１０、および比較例の積層型二次電池をそれぞれ１００個用意する。比較例の積層型二次電池は、非対称部７および非対称部８を設けない以外は積層型二次電池１と同様の構成である。１００個の内訳は、正しく積層された良品が９０個、誤積層された誤積層品が１０個である。積層工程において、各二次電池は、最下層および最上層が電極３（負極）となるように１４個の電極３と、１３個の電極２（正極）が交互に形成される。積層工程の直後に目視検査で誤積層品の有無を確認する。なお、誤積層品を見つけた場合は、修正する。目視検査の後、各二次電池を、１対のアルミラミネートフィルムの中に収納して電解液を注液する。その後、各二次電池をアルミラミネートフィルムの中に密封する。アルミラミネートフィルムの大きさは長さが１５０ｍｍであり、幅が８０ｍｍである。アルミラミネートフィルムの一方には、二次電池を収納できるように凹形状が形成されている。凹形状の大きさは、長さが１０５ｍｍであり、幅７５ｍｍである。そして、充電工程後の電圧を測定することによって、目視検査で誤積層を見つけることができた割合を示す誤積層検出率を算出した。誤積層が見過ごさせると、充電工程で電極３（負極）の銅箔が溶け、短絡不良となる。
【００３０】
次に、下記の表１を参照しながら実験結果について説明する。
【００３１】
【表１】
0005590608.tif 000002
表１に示すように、実施形態１の二次電池１、実施形態２の二次電池１０については、充電後に測定した１００個の二次電池の電圧の平均値に異常は無かった。すなわち、１０個の誤積層品が積層直後の目視検査で全て見つけられており、誤積層検出率が１００％となっている。一方、比較例の二次電池については、９個の電圧異常品が見つかった。すなわち、１０個の誤積層品のうち目視検査で見つけられたのは１個のみであり、誤積層検出率が１０％となっている。なお、誤積層品を除いた二次電池の電圧の平均値に異常はなかった。実験結果からわかるように、非対称部７および非対称部８を設けることによって、電極２または電極３の誤積層に気付きやすくなる。これにより、電極の誤積層による不具合を起こりにくくすることが可能となる。
【符号の説明】
【００３２】
１、１０  積層型二次電池
２、３  電極
４ａ、４ｂ  セパレータ
５ａ、５ｂ  集電タブ
６  融着接合部
７、８  非対称部
９  切断線
２１、２２、２３、２４、３２、３３、３４  角部
４１  正極リード部
４２  負極リード部
１００  正極
１１０  非対称部
１２０  上端辺
２００  負極
３００  セパレータ
【図１】
0005590608.tif 000003
【図２】
0005590608.tif 000004
【図３】
0005590608.tif 000005
【図４】
0005590608.tif 000006
【図５】
0005590608.tif 000007
【図６】
0005590608.tif 000008
【図７】
0005590608.tif 000009
【図８】
0005590608.tif 000010
【図９】
0005590608.tif 000011
【図１０】
0005590608.tif 000012
【図１１】
0005590608.tif 000013
【図１２】
0005590608.tif 000014